(57)【要約】【課題】  外部接続コネクタを外部に露出させる開口部と回路基板との間を実質的に確実に遮蔽し、不正行為を防止する基板収納ユニットの提供を目的とする。【解決手段】  基板収納ユニット１は、外部接続コネクタ２１，２２，２３，２４，２５，２６，２７が実装された回路基板３と、前記外部接続コネクタを外部に露出させる開口部６１，６４，６５，６６，６７が設けられ、回路基板３を外部から隔離した状態で収納する基板収納ボックス４と、前記外部接続コネクタに装着され、ラビリンス機構を利用して前記開口部と回路基板３との間を遮る遮蔽部材５１，５２，５５とを具備した構成としてある。【選択図】  図２
2006081714.tif 000002
【特許請求の範囲】
【請求項１】
回路基板を外部から隔離した状態で収納する基板収納ボックスに設けられ、該回路基板に実装された外部接続コネクタを外部に露出させる開口部と、前記回路基板との間を遮る遮蔽部材であって、
前記外部接続コネクタに装着され、あるいは、前記外部接続コネクタが装着される、前記開口部と回路基板との間を遮る一又は二以上の遮蔽領域を有することを特徴とする遮蔽部材。
【請求項２】
前記遮蔽領域の下方に、実装スペースを設けたことを特徴とする請求項１記載の遮蔽部材。
【請求項３】
前記遮蔽領域を、前記外部接続コネクタの上部近傍に設けたことを特徴とする請求項１又は２記載の遮蔽部材。
【請求項４】
前記外部接続コネクタが嵌入される一又は二以上の筒状部と、この筒状部から水平方向に突設され、前記遮蔽領域を有する一又は二以上のフランジ部とを備えたことを特徴とする請求項１〜３のいずれかに記載の遮蔽部材。
【請求項５】
前記外部接続コネクタの下面周縁部が載置される段付き部を備えたことを特徴とする請求項１〜３のいずれかに記載の遮蔽部材。
【請求項６】
前記遮蔽領域が、ラビリンス機構を構成することを特徴とする請求項１〜５のいずれかに記載の遮蔽部材。
【請求項７】
二以上の前記外部接続コネクタが装着されたことを特徴とする請求項１〜６のいずれかに記載の遮蔽部材。
【請求項８】
前記回路基板に固定されたことを特徴とする請求項１〜７のいずれかに記載の遮蔽部材。
【請求項９】
前記回路基板に対する位置決め手段が設けられたことを特徴とする請求項１〜８のいずれかに記載の遮蔽部材。
【請求項１０】
上記請求項１〜９のいずれかに記載の遮蔽部材が、前記外部接続コネクタと一体的に成形されあるいは設けられたことを特徴とする遮蔽コネクタ。
【請求項１１】
外部接続コネクタが実装された回路基板と、
前記外部接続コネクタを外部に露出させる開口部が設けられ、前記回路基板を外部から隔離した状態で収納する基板収納ボックスと、
上記請求項１〜９のいずれかに記載の遮蔽部材と、
を具備したことを特徴とする基板収納ユニット。
【請求項１２】
上記請求項１０記載の遮蔽コネクタが実装された回路基板と、
前記遮蔽コネクタを外部に露出させる開口部が設けられ、前記回路基板を外部から隔離した状態で収納する基板収納ボックスと、
を具備したことを特徴とする基板収納ユニット。
【発明の詳細な説明】
【技術分野】
【０００１】
本発明は、遮蔽部材，遮蔽コネクタ及び基板収納ユニットに関し、特に、外部接続コネクタが実装された回路基板を外部から隔離した状態で収納するとともに、外部接続コネクタを外部に露出させる開口部と回路基板との間を、ラビリンス機構を利用して確実に遮ることを可能とした遮蔽部材，遮蔽コネクタ及び基板収納ユニットに関する。
【背景技術】
【０００２】
一般的に、パチンコ遊技機やスロットマシンは、遊技動作を制御する遊技制御用の回路基板が設けられている。この回路基板には、マイクロコンピュータを構成するＭＰＵ，ＲＯＭ，ＲＡＭ等の電子部品が多数実装されている。
遊技動作を制御するプログラムが格納されたＲＯＭを交換することにより、たとえば、大当り等の特別遊技状態に連続的に当選する、あるいは、上記特別遊技状態に全く当選しないといった、ギャンブル性を高めた遊技内容を実現することが可能となる。このため、遊技制御用の回路基板は、基板収納ボックス内に外部から隔離された状態で収納され、ＲＯＭ交換などの不正行為が行なわれないように様々な防御対策が提案されてきた。
【０００３】
たとえば、特許文献１には、外部接続コネクタ周辺の結線パターンを利用した不正行為を防止することを目的として、コネクタ実装領域に結線パターンを被覆する被覆部材を取り付ける構成とした遊技機の基板収納ボックスの技術が開示されている。
【特許文献１】特開平１０−２８６３６５号公報  （請求項１，５、図１１，１３）
【発明の開示】
【発明が解決しようとする課題】
【０００４】
しかしながら、不正行為は、不正行為を防止しようとする技術の盲点を見事に突いて実施されている場合が多く、客観的に言えば、高度の技術及び技能を有する不正行為者が、必死に工夫を凝らすことにより、不正行為を実施している。すなわち、不正行為者が手を出せないような、真に有効な防御対策を実施する必要があり、形だけの防御対策、たとえば、何となく格好はついているものの、必死に工夫を凝らす不正行為者を退けることができない防御対策では、不正行為者に全く対抗できない。
【０００５】
たとえば、上記遊技機の基板収納ボックスは、蓋体の仕切り壁に設けられた被覆部端面がコネクタと当接し、回路基板の結線パターンを覆っているものの、上述した不正行為者にとっては、仕切り壁を内側に押し込み、被覆部端面とコネクタの僅かな隙間に、針などの極薄の接触端子を挿入することにより、結線パターンに容易に細工することができ、不正行為者に全く対抗できないといった問題があった（特許文献１の図１３（Ａ）参照）。
【０００６】
また、上記遊技機の基板収納ボックスは、コネクタの被覆部端面が蓋体の仕切り壁と当接し、回路基板の結線パターンを覆っているものの、上述した不正行為者にとっては、仕切り壁を内側に押し込み、被覆部端面と仕切り壁の僅かな隙間に接触端子を挿入することにより、結線パターンに容易に細工することができ、不正行為者に全く対抗できないといった問題があった（特許文献１の図１３（Ｂ）参照）。
【０００７】
さらに、上記遊技機の基板収納ボックスは、被覆部材の挿通穴端面がコネクタと当接し、回路基板の結線パターンを覆っているものの、上述した不正行為者にとっては、被覆部材を変形させ、挿通穴端面とコネクタの僅かな隙間に接触端子を挿入することにより、結線パターンに容易に細工することができ、不正行為者に全く対抗できないといった問題があった（特許文献１の図１１（Ａ）参照）。
【０００８】
また、上記遊技機の基板収納ボックスは、複数の実装されたコネクタに、被覆部材の複数の挿通穴を挿通させる構成としてあるが、各挿通穴端面とコネクタを僅かな隙間もなく当接させることは、作業性，寸法精度等を考慮すると実際上量産不可能であるといった問題があった。
【０００９】
本発明は、上記の事情にかんがみなされたものであり、外部接続コネクタを外部に露出させる開口部と回路基板との間を実質的に確実に遮蔽し、不正行為を防止する遮蔽部材，遮蔽コネクタ及び基板収納ユニットの提供を目的とする。
【課題を解決するための手段】
【００１０】
この目的を達成するため、本発明の遮蔽部材は、回路基板を外部から隔離した状態で収納する基板収納ボックスに設けられ、該回路基板に実装された外部接続コネクタを外部に露出させる開口部と、前記回路基板との間を遮る遮蔽部材であって、前記外部接続コネクタに装着され、あるいは、前記外部接続コネクタが装着される、前記開口部と回路基板との間を遮る一又は二以上の遮蔽領域を有する構成としてある。
このようにすると、開口部から回路基板の結線パターンに細工することが不可能となるので、開口部を利用した不正行為を確実に防止することができる。また、外部接続コネクタの構造や配置状態に応じて、外部接続コネクタの実装後に遮蔽部材を装着し、あるいは、外部接続コネクタをあらかじめ遮蔽部材に装着してから実装することができ、作業性を向上させることができる。
また、「開口部と回路基板との間を遮る」とは、不正行為者が、接触端子等を用いて、開口部から回路基板の結線パターンに細工できないように防ぐことをいう。
なお、遮蔽領域は、通常、遮蔽部材の一部と基板収納ボックスの一部が当接又は微小な隙間を介して対向することによって形成される。
【００１１】
また、本発明は、前記遮蔽領域の下方に、実装スペースを設けた構成としてある。
このようにすると、回路基板の実装密度を高めることができ、回路基板の小型化を図ることができる。
【００１２】
また、本発明は、前記遮蔽領域を、前記外部接続コネクタの上部近傍に設けた構成としてある。
このようにすると、基板収納ボックスが回動式の場合であっても、回動軌跡による接触を回避するために、開口部を大きくしなくてもすむので、その分開口部から回路基板の結線パターンに細工される危険性を低減することができる。
【００１３】
また、本発明は、前記外部接続コネクタが嵌入される一又は二以上の筒状部と、この筒状部から水平方向に突設され、前記遮蔽領域を有する一又は二以上のフランジ部とを備えた構成としてある。
このようにすると、フランジ部の上面に遮蔽領域を形成することができ、構造が単純化され、製造原価のコストダウンを図ることができる。
【００１４】
また、本発明は、前記外部接続コネクタの下面周縁部が載置される段付き部を備えた構成としてある。
このようにすると、接触端子を筒状部の装着面から侵入させて、結線パターンに細工するといった不具合をさらに確実に防止することができる。
【００１５】
また、本発明は、前記遮蔽領域が、ラビリンス機構を構成する。
このようにすると、遮蔽領域が微小な隙間を有している場合であっても、不正行為者は、接触端子を折り曲げながら遮蔽領域を通過させる必要があり、開口部から回路基板の結線パターンに細工されるといった不具合を実質的かつ効果的に防止することができる。
ここで、「ラビリンス機構」とは、仮想線を遮蔽領域の始点から侵入させ、遮蔽領域を通過させ、遮蔽領域の終点まで到達させる際、仮想線が曲りながら移動しなければ、終点に到達できないようにする機構をいう。
【００１６】
また、本発明は、二以上の前記外部接続コネクタが装着された構成としてある。
このようにすると、二以上の外部接続コネクタに対して、遮蔽部材を共用化できるので、製造原価のコストダウンを図ることができる。
【００１７】
また、本発明は、前記回路基板に固定された構成としてある。
このようにすると、遮蔽部材が押圧されるなどして外力を受ける場合であっても、外部接続コネクタの接続部（通常、半田付け箇所）に外力が作用するのを防止でき、接続信頼性を高めることができる。
【００１８】
また、本発明は、前記回路基板に対する位置決め手段が設けられた構成としてある。
このようにすると、遮蔽部材を精度よくかつ容易に位置決めすることができる。また、遮蔽部材に二以上の外部接続コネクタが装着される場合には、あらかじめ複数の外部接続コネクタを遮蔽部材に装着してから位置精度よく実装することができるので、作業性を大幅に改善することができる。
【００１９】
また、本発明の遮蔽コネクタは、上記請求項１〜９のいずれかに記載の遮蔽部材が、前記外部接続コネクタと一体的に成形されあるいは設けられた構成としてある。
このようにすると、作業効率が改善され、全体的な製造原価のコストダウンを図ることができる。
【００２０】
また、本発明の基板収納ユニットは、外部接続コネクタが実装された回路基板と、前記外部接続コネクタを外部に露出させる開口部が設けられ、前記回路基板を外部から隔離した状態で収納する基板収納ボックスと、上記請求項１〜９のいずれかに記載の遮蔽部材と、を具備した構成としてある。
このようにすると、本発明にかかる遮蔽部材を使用することにより、開口部から回路基板の結線パターンに細工することが不可能となるので、開口部を利用した不正行為を確実に防止できる基板収納ユニットを提供することができる。
【００２１】
また、本発明は、上記請求項１０記載の遮蔽コネクタが実装された回路基板と、前記遮蔽コネクタを外部に露出させる開口部が設けられ、前記回路基板を外部から隔離した状態で収納する基板収納ボックスと、を具備した構成としてある。
このようにすると、本発明にかかる遮蔽コネクタを使用することにより、開口部から回路基板の結線パターンに細工することが不可能となるので、開口部を利用した不正行為を確実に防止できる基板収納ユニットを提供することができる。
【発明の効果】
【００２２】
このように、本発明にかかる遮蔽部材，遮蔽コネクタ及び基板収納ユニットによれば、外部接続コネクタを外部に露出させる開口部から接触端子を侵入させ、回路基板の結線パターンに細工することが不可能となるので、開口部を利用した不正行為を確実に防止することができる。また、ラビリンス機構を採用することにより、遮蔽領域に僅かな隙間が発生しても接触端子が隙間を通過できないので、実質的に接触端子を確実に遮ることができる。
さらに、遮蔽部材に二以上の外部接続コネクタが装着される場合には、あらかじめ複数の外部接続コネクタを遮蔽部材に装着してから実装することができるので、作業性を大幅に改善することができる。
また、遮蔽領域の下方に、実装スペースを設けることにより、回路基板の実装密度を高めて小型化を図ることができる。
【発明を実施するための最良の形態】
【００２３】
［基板収納ユニット］
図１ａは、本発明の実施形態にかかる基板収納ユニットの全体的な構成を説明するための要部の概略平面図を示している。
また、図１ｂは、図１ａのＡ−Ａ概略断面図を示している。
図１ａ，１ｂにおいて、基板収納ユニット１は、外部接続コネクタ２１，２２，２３，２４，２５，２６，２７が実装された回路基板３と、基体４１及び蓋体４２を備えた基板収納ボックス４と、遮蔽部材５１，５４，５５とを具備した構成としてある。
なお、図１，２は、理解しやすいように、実装部品中、外部接続コネクタ２１，２２，２３，２４，２５，２６，２７だけを図示しており、その他の実装部品、たとえば、マイクロコンピュータを構成するＭＰＵ，ＲＯＭ，ＲＡＭ等は省略してある。
【００２４】
（回路基板）
回路基板３は、遊技機（図示せず）の遊技動作を制御する多層基板であり、通常、四隅に位置決め孔３１が穿設された矩形の基板が使用される。また、外部接続コネクタ２１，２２，２３，２４，２５，２６，２７の周辺には、複数の結線パターン３３が配設してある。
ちなみに、スロットマシンにおいては、所定の結線パターン３３を細工することにより不正行為が行なわれたことがあった。なお、結線パターン３３を回路基板３の裏面（基体４１側の面）に配設する防御対策も想定されるが、マイクロドリルで回路基板３にスルーホールに見せかけて穴をあけ、この穴から接触端子を挿入し、結線パターン３３に細工される危険性がある。
【００２５】
位置決め孔３１には、基体４１に突設されたガイドピン４１１が挿入され、これにより、回路基板３は、Ｘ方向及びＹ方向の位置が決められる。ただし、量産される回路基板３は、挿入しやすいように位置決め孔３１の孔径がガイドピン４１１の直径より通常コンマ数ｍｍ大きいので、Ｘ方向及びＹ方向にコンマ数ｍｍ移動可能な状態で位置決めされる。
また、回路基板３は、基板周縁部が基体４１に突設された矩形環状のリブ３２に載置され、さらに、蓋体４２にガイドピン４１１と対向するように突設された挟支ピン４２１によって上から押さえつけられることにより、Ｚ方向の位置が決められるとともに固定される。なお、基板収納ボックス４は、外形が矩形平板状の中空箱であり、Ｚ方向の寸法精度がＸ方向及びＹ方向の寸法精度より優れているので、回路基板３は、Ｚ方向に押さえつけられることにより、Ｘ方向及びＹ方向に移動することなく固定される。
【００２６】
（外部接続コネクタ）
外部接続コネクタ２１，２２，２３，２４，２５，２６，２７は、いずれも直方体状のディスクリートタイプのコネクタである。
外部接続コネクタ２１，２２，２３は、図１ａにおいて、回路基板３の左端にＸ方向に沿って縦向きに並べて実装され、外部接続コネクタ２４は、回路基板３の右端に実装され、外部接続コネクタ２５，２６，２７は、回路基板３の正面側にＹ方向に沿って横向きに並べて実装されている。
また、外部接続コネクタ２１，２２，２３，２４，２５，２６，２７は、リードが回路基板３のスルーホールに挿入された状態で半田付けされる。
【００２７】
（基板収納ボックス）
基板収納ボックス４は、回路基板３を外部から隔離した状態で収納する基体４１と蓋体４２を備え、基体４１及び蓋体４２は、ヒンジ４３を介して回動自在に連結されている。また、図示してないが、ヒンジ４３は、基体４１と一体成形された軸部と、蓋体４２と一体成形され、上記軸部に着脱自在に係合される軸受部とからなっている。このようにすると、蓋体４２を約９０°開いた状態で、軸受部を軸部に係合させることにより、蓋体４２を基体４１に容易に連結することができる。
なお、本実施形態では、基体４１と蓋体４２を回動自在に連結してあるが、この構成に限定されるものではなく、たとえば、蓋体４２を垂直方向に着脱し、基板収納ボックス４の四隅を固定する構成としてもよい。
【００２８】
基体４１と蓋体４２は、それぞれ封印固定部４１２，４２２が設けられている。この封印固定部４１２，４２２は、互いに封印状態で固定されると、固定状態を解除できないので、蓋体４２を開けるときは、封印固定部４２２と蓋体４２との連結部４２３を切断又は破壊する。この切断跡又は破壊跡が開封痕跡となり、管理者等が開封の痕跡を容易に目視でき、開封の判別を確実かつ容易に行なうことができる。
【００２９】
蓋体４２は、外部接続コネクタ２１，２２，２３，２４，２５，２６，２７を外部に露出させる、ほぼ矩形状の開口部４４１，４４４，４４５，４４６，４４７が設けられている。また、蓋体４２は、各開口部４４１，４４４，４４５，４４６，４４７の周縁部から下方に向かって、後述するラビリンス機構６１，６４，６５，６６，６７を構成するほぼ矩形状の筒部６１２，６４２，６５２，６６２，６７２が突設してある。
なお、各筒部６１２，６４２，６５２，６６２，６７２は、蓋体４２を回動させて開閉する際、各外部接続コネクタ２１，２２，２３，２４，２５，２６，２７と接触しないように設定されている。
【００３０】
（第一の遮蔽部材及びラビリンス機構）
図２は、本発明の実施形態にかかる基板収納ユニットの一遮蔽部材を説明するための要部の概略図であり、（ｂ）は図１ａのＢ−Ｂ拡大断面図を、（ｃ）は図１ａのＣ−Ｃ拡大断面図を示している。
また、図３は、本発明の実施形態にかかる基板収納ユニットの一遮蔽部材を説明するための概略図であり、（ａ）は平面図を、（ｂ）は一遮蔽部材に対応する開口部の平面図を示している。
図２，３において、遮蔽部材５１は、外部接続コネクタ２１，２２，２３が嵌入される、上から見るとほぼ矩形環状の筒を三つ連結したような筒状部５０１と、この筒状部５０１の上部にフランジ部５１１を形成し、このフランジ部５１１の上面に三つの外部接続コネクタ２１，２２，２３をまとめて囲むほぼ矩形環状の溝６１１を形成してある。また、基板収納ボックス４は、開口部４４２近傍の蓋体４２の下面に、溝６１１に装入するほぼ矩形環状の筒部６１２が突設してあり、蓋体４２が閉められると、この筒部６１２が溝６１１に装入され、ラビリンス機構６１として機能する。このようにすると、フランジ部５１１の上面に、ラビリンス機構６１すなわち遮蔽領域６１３，６１４，６１５を形成することができ、構造が単純化され、製造原価のコストダウンを図ることができる。また、二以上の外部接続コネクタ２１，２２，２３に対して、遮蔽部材５１を共用化できるので、製造原価のコストダウンを図ることができる。
【００３１】
遮蔽部材５１に複数の外部接続コネクタ２１，２２，２３が装着される場合には、あらかじめ複数の外部接続コネクタ２１，２２，２３を遮蔽部材５１に装着してから実装するとよく、このようにすると、作業性を大幅に改善することができる。
また、遮蔽部材５１の上部にフランジ部５１１を形成し、ラビリンス機構６１の下方に実装スペース（図示せず）を設けた構成としてあるので、たとえば、ラビリンス機構６１の下方の回路基板３上に抵抗３５等を実装し、回路基板３の実装密度を高めることができ、回路基板３の小型化を図ることができる。
【００３２】
外部接続コネクタ２１，２２，２３の上部近傍に、ラビリンス機構６１を設けた構成としてあるので、蓋体４２を回動させる際、回動軌跡による外部接続コネクタ２１と筒部６１２との接触を回避するために、開口部４４１を大きくしなくてもすむので、その分開口部４４１から回路基板３の結線パターン３３に細工される危険性を低減することができる。
【００３３】
外部接続コネクタ２１，２２，２３と遮蔽部材５１の装着面５１０は、上下方向に十分な距離があり、かつ、圧入することにより、接触端子をこの装着面５１０に挿入することは不可能な構造としてもよい。なお、外部接続コネクタ２１，２２，２３は、通常、実装する前に、遮蔽部材５１に圧入される。
本実施形態では、外部接続コネクタ２１，２２，２３を遮蔽部材５１に挿入させることにより、外部接続コネクタ２１，２２，２３を遮蔽部材５１に装着する構成としてあるが、装着方法はこれに限定されるものではなく、たとえば、接着，溶着，係合等を利用して装着してもよく、このようにすると、より確実に接触端子の侵入を防止することができる。
【００３４】
また、好ましくは、遮蔽部材５１の筒状部５０１の下端に、内方向に段付き部５１０ａを形成し、この段付き部５１０ａに外部接続コネクタ２１，２２，２３の下面周縁部が載置され、外部接続コネクタ２１，２２，２３の下面と段付き部５１０ａの上面とを当接させた装着面５１０ｂを形成するとよい。
このようにすると、接触端子を、仮に装着面５１０に沿って垂直下方向に侵入させても、直角に折り曲げ装着面５１０ｂに沿って移動させることは不可能なので、接触端子を装着面５１０から侵入させて、結線パターン３３に細工するといった不具合をさらに確実に防止することができる。
【００３５】
また、遮蔽部材５１及び基板収納ボックス４の材料としては、通常、無色透明な樹脂が使用される。このようにすると、遮蔽部材５１及び基板収納ボックス４の下方に回路基板３を目視することができるので、回路基板３の状態を容易に確認することができる。
【００３６】
基板収納ユニット１は、蓋体４２が閉められると、上記筒部６１２が溝６１１に装入する構造としてあり、ラビリンス機構６１として機能する。本実施形態のラビリンス機構６１は、順に連通する、垂直方向の遮蔽領域６１３，水平方向の遮蔽領域６１４及び垂直方向の遮蔽領域６１５によって構成される。ここで、各遮蔽領域６１３，６１４，６１５の隙間は、０ｍｍであることが好ましいが、上述したように量産される各部品は寸法誤差を有しており、さらに、組立作業における組立誤差も発生することから、通常、コンマ数ｍｍ〜数ｍｍとなる。
【００３７】
不正行為者が、本実施形態のラビリンス機構６１をクリアして、開口部４４１から回路基板３上の結線パターン３３に接触端子（図示せず）を到達させるには、仮想線であるピアノ線や剃刀のように極薄の接触端子を、まず、遮蔽領域６１３に沿って降下させる。次に、接触端子をほぼ直角に折り曲げながら遮蔽領域６１４に沿って水平方向に移動させ、さらに、ほぼ直角に折り曲げながら遮蔽領域６１５に沿って上昇させる必要がある。しかし、遮蔽領域６１４，６１５に沿って接触端子を移動させることは、接触端子の弾性応力や曲げ剛性等を考慮すると不可能であることから、不正行為者がラビリンス機構６１をクリアできず、開口部４４１から回路基板３の結線パターンに細工することを確実に防止することができる。すなわち、ラビリンス機構６１は、遮蔽領域６１３，６１４，６１５が微小な隙間を有している場合であっても、開口部４４１から回路基板３の結線パターン３３に細工されるといった不具合を実質的かつ効果的に防止することができる。
さらに、ラビリンス機構６１は、念のため、仮に接触端子が遮蔽領域６１５を通過しても、接触端子が上向きに移動する構造としてあり、下方に位置する結線パターン３３まで到達できない構造としてある。
【００３８】
また、遮蔽部材５１が直接回路基板３に固定される構成とするとよい。本実施形態では、遮蔽部材５１の長手方向の端面に補強金具５１２を固定し、この補強金具５１２を回路基板３に半田付けする構成としてある。このようにすると、遮蔽部材５１が押圧されるなどして外力を受ける場合であっても、外部接続コネクタ２１，２２，２３の接続部（通常、半田付け箇所）に外力が作用するのを防止でき、接続信頼性を高めることができる。なお、固定手段は、上記補強金具５１２に限定されるものではなく、たとえば、ボルト，ナットを用いて固定する構成としてもよい。
【００３９】
さらに、遮蔽部材５１に回路基板３に対する位置決め手段を設けるとよい。本実施形態では、遮蔽部材５１の長手方向の端面からノッチ５１３を突出させ、回路基板３に設けたノッチ用孔３４１にノッチ５１３を嵌入させる構成としてある。このようにすると、遮蔽部材５１を回路基板３に対して精度よくかつ容易に位置決めすることができる。
【００４０】
また、本実施形態では、蓋体４２が回動する構成としてあるので、かかる場合には、図示してないが、筒部６１２及び溝６１１を回動軌跡に応じて、円弧状に成形してもよく、このようにすると、遮蔽領域６１３，６１５の隙間を狭めることができ、接触端子の侵入をより確実に防止することができる。
なお、ラビリンス機構は、上記構造に限定されるものではない。
【００４１】
＜第一応用例＞
図４ａは、ラビリンス機構の第一応用例を説明する要部の概略拡大断面図を示している。
同図において、遮蔽部材５１ａは、外部接続コネクタ２１，２２，２３が嵌入される、上から見るとほぼ矩形環状の筒状体であり、上部に、外縁部が内側より低い段差を有するフランジ部５１１ａを形成してある。また、蓋体４２ａは、開口部４４１の周縁部近傍の下面に、フランジ部５１１ａの段差形状に応じた矩形環状の筒部６１２ａが突設してあり、蓋体４２ａが閉められると、フランジ部５１１ａとの嵌め合いによって、ラビリンス機構６１ａとして機能する。
【００４２】
本応用例のラビリンス機構６１ａは、順に連通する、水平方向の遮蔽領域６１３ａ，垂直方向の遮蔽領域６１４ａ及び水平方向の遮蔽領域６１５ａによって構成される。このようにすると、不正行為者は、接触端子を曲げながら、まず、遮蔽領域６１３ａに沿って水平方向に侵入させ、次に、接触端子をほぼ直角に折り曲げながら遮蔽領域６１４ａに沿って下方向に移動させ、さらに、ほぼ直角に折り曲げながら遮蔽領域６１５ａに沿って水平方向に移動させる必要がある。しかし、このように接触端子を移動させることは、接触端子の弾性応力や曲げ剛性等を考慮すると不可能であることから、不正行為者がラビリンス機構６１ａをクリアできず、開口部４４１から回路基板３の結線パターン３３に細工することを実質的に確実に防止することができる。
ここで、好ましくは、遮蔽領域６１４ａの下方先端に、微小幅の矩形環状溝６１１ａを設けるとよい。このようにすると、接触端子が遮蔽領域６１４ａを下方に移動してきても、この溝６１１ａに入り込み遮蔽領域６１５ａに侵入できなくなり、遮蔽性をさらに向上させることができる。
なお、その他の構成は、上記ラビリンス機構６１とほぼ同様としてある。
【００４３】
＜第二応用例＞
図４ｂは、ラビリンス機構の第二応用例を説明する要部の概略拡大断面図を示している。
同図において、遮蔽部材５１ｂは、外部接続コネクタ２１ｂが嵌入される、上から見るとほぼ矩形環状の筒状体であり、上部に、ほぼ矩形環状の溝６１１ｂを有するフランジ部５１１ｂが形成され、さらに、側面に係止板２１２が挿入される凹部５１４が形成されている。また、蓋体４２ｂは、開口部４４１の周縁部近傍の下面に、フランジ部５１１ｂの溝６１１ｂに応じたほぼ矩形環状の筒部６１２ｂが突設してあり、蓋体４２ｂが閉められると、フランジ部５１１ｂとの嵌め合いによって、ラビリンス機構６１ｂとして機能する。
なお、本応用例の外部接続コネクタ２１ｂは、雄側コネクタ２１０が抜けないように、係止部２１１が側面に突設してある。また、雄側コネクタ２１０は、先端が鉤状に折れ曲がった係止板２１２が、係止部２１１側に付勢された状態で回動自在に設けられている。
【００４４】
本応用例のラビリンス機構６１ｂは、順に連通する、水平方向の遮蔽領域６１３ｂ，垂直方向の遮蔽領域６１４ｂ，水平方向の遮蔽領域６１５ｂ，垂直方向の遮蔽領域６１６ｂ及び水平方向の遮蔽領域６１７ｂによって構成される。このようにすると、不正行為者は、接触端子を曲げながら、各遮蔽領域６１３ｂ，６１４ｂ，６１５ｂ，６１６ｂ，６１７ｂに沿って移動させる必要がある。しかし、このように接触端子を移動させることは、接触端子の弾性応力や曲げ剛性等を考慮すると不可能であることから、不正行為者がラビリンス機構６１ｂをクリアできず、開口部４４１から回路基板３の結線パターン３３に細工することを確実に防止することができる。
なお、遮蔽部材５１ｂは、凹部５１４を設けることにより、装着面５１０´の高さが短くなるが、接触端子の侵入を防ぐための十分な長さを有している。
また、その他の構成は、上記ラビリンス機構６１とほぼ同様としてある。
【００４５】
＜第三応用例＞
図４ｃは、ラビリンス機構の第三応用例を説明する要部の概略拡大断面図を示している。
同図において、遮蔽部材５１ｃは、外部接続コネクタ２１，２２，２３が嵌入される、上から見るとほぼ矩形環状の筒状体であり、上部と中段部にフランジ部５１１ｃ，５１１ｃ´が形成されている。また、蓋体４２ｃは、開口部４４１の周縁部近傍の下面に、フランジ部５１１ｃ，５１１ｃ´に応じたほぼ矩形環状の筒部６１２ｃが突設してあり、蓋体４２ｃが閉められると、フランジ部５１１ｃ，５１１ｃ´の嵌め合いによって、ラビリンス機構６１ｃとして機能する。
【００４６】
本応用例のラビリンス機構６１ｃは、順に連通する、水平方向の遮蔽領域６１３ｃ，垂直方向の遮蔽領域６１４ｃ，垂直方向の遮蔽領域６１５ｃ及び水平方向の遮蔽領域６１６ｃによって構成される。このようにすると、不正行為者は、接触端子を曲げながら、各遮蔽領域６１３ｃ，６１４ｃ，６１５ｃに沿って移動させる必要がある。しかし、このように接触端子を移動させることは、接触端子の弾性応力や曲げ剛性等を考慮すると不可能であることから、不正行為者がラビリンス機構６１ｃをクリアできず、開口部４４１から回路基板３の結線パターン３３に細工することを確実に防止することができる。
また、その他の構成は、上記ラビリンス機構６１とほぼ同様としてある。
【００４７】
＜第四応用例＞
図４ｄは、ラビリンス機構の第四応用例を説明する要部の概略拡大断面図を示している。
同図において、遮蔽部材５１ｄは、外部接続コネクタ２１、２２，２３が嵌入される、上から見るとほぼ矩形環状の筒状体であり、上部にフランジ部５１１ｄが形成されている。また、蓋体４２ｄは、開口部４４１の周縁部近傍の下面に、フランジ部５１１ｄの外形に応じたほぼ矩形環状の筒部６１２ｄが突設してあり、蓋体４２ｄが閉められると、フランジ部５１１ｄの嵌め合いによって、ラビリンス機構６１ｄとして機能する。
また、遮蔽部材５１ｄは、上記段付き部５１０ａを設けない単純化された構成としてあり、その分製造原価のコストダウンを図ることができる。
【００４８】
本応用例のラビリンス機構６１ｄは、水平方向の遮蔽領域６１３ｄと垂直方向の遮蔽領域６１４ｄとによって構成される。また、水平方向の遮蔽領域６１３ｄは、ほぼ隙間０ｍｍとしてある。このようにすると、不正行為者は、接触端子を曲げながら、各遮蔽領域６１３ｄ，６１４ｄに沿って移動させる必要がある。しかし、このように接触端子を移動させることは、接触端子の弾性応力や曲げ剛性等を考慮すると不可能であることから、不正行為者がラビリンス機構６１ｄをクリアできず、開口部４４１から回路基板３の結線パターン３３に細工することを確実に防止することができる。また、ラビリンス機構６１ｄは、構造が単純化されているので、製造原価のコストダウンを図ることができる。
また、その他の構成は、上記ラビリンス機構６１とほぼ同様としてある。
【００４９】
（第二の遮蔽部材及びラビリンス機構）
図５は、本発明の実施形態にかかる基板収納ユニットの一遮蔽部材を説明するための概略図であり、（ａ）は平面図を、（ｂ）は一遮蔽部材に対応する開口部の平面図を示している。
同図において、遮蔽部材５４は、外部接続コネクタ２４が嵌入される、上から見るとほぼ矩形環状の筒状体としてある。また、遮蔽部材５４は、上部にフランジ部５４１を形成し、このフランジ部５４１の上面に外部接続コネクタ２４を囲むほぼ矩形環状の溝６４１を形成してある。
また、基板収納ボックス４は、開口部４４４近傍の蓋体４２の下面に、溝６４１に装入するほぼ矩形環状の筒部６４２が突設してあり、蓋体４２が閉められると、この筒部６４２が溝６４１に装入され、ラビリンス機構６４として機能する。
なお、その他の構成は、上述した遮蔽部材５１及びラビリンス機構６１とほぼ同様としてある。
このようにすると、一つの外部接続コネクタ２４に対して、開口部４４４から回路基板３の結線パターン３３に細工することを実質的に確実に防止することができる。
【００５０】
（第三の遮蔽部材及びラビリンス機構）
図６は、本発明の実施形態にかかる基板収納ユニットの一遮蔽部材を説明するための概略図であり、（ａ）は平面図を、（ｂ）は一遮蔽部材に対応する開口部の平面図を示している。
同図において、遮蔽部材５５は、外部接続コネクタ２５，２６，２７が嵌入される、上から見るとほぼ矩形環状の筒状体を三つ連結させた形状としてある。また、遮蔽部材５５は、上部にフランジ部５５１を形成し、このフランジ部５５１の上面に外部接続コネクタ２５，２６，２７をそれぞれ個別に囲むほぼ矩形環状の溝６５１，６６１，６７１を形成してある。
また、基板収納ボックス４は、開口部４４５，４４６，４４７近傍の蓋体４２の下面に、溝６５１，６６１，６７１にそれぞれ装入するほぼ矩形環状の筒部６５２，６６２，６７２が突設してあり、蓋体４２が閉められると、これらの筒部６５２，６６２，６７２が溝６５１，６６１，６７１に装入され、それぞれラビリンス機構６５，６６，６７として機能する。
なお、その他の構成は、上述した遮蔽部材５１及びラビリンス機構６１とほぼ同様としてある。
【００５１】
このようにすると、二以上の外部接続コネクタ２５，２６，２７に対して、遮蔽部材５５を共用化できるとともに、各外部接続コネクタ２５，２６，２７に応じたラビリンス機構６５，６６，６７を構成することができるので、様々な構造の外部接続コネクタに対応することができる。
【００５２】
上述したように、実施形態にかかる基板収納ユニット１は、ラビリンス機構６１，６４，６５，６６，６７を採用することにより、外部接続コネクタ２１，２２，２３，２４，２５，２６，２７を外部に露出させる開口部４４１，４４４，４４５，４４６，４４７から接触端子を侵入させ、回路基板３の結線パターン３３に細工することが不可能となるので、開口部４４１，４４４，４４５，４４６，４４７を利用した不正行為を実質的に（各遮蔽領域が隙間を有しているにもかかわらず）確実に防止することができる。
さらに、遮蔽部材５１，５５に二以上の外部接続コネクタ２１，２２，２３及び２５，２６，２７を装着する場合には、あらかじめ複数の外部接続コネクタ２１，２２，２３及び２５，２６，２７を遮蔽部材５１，５５に装着してから実装することができるので、作業性を大幅に改善することができる。
【００５３】
以上、本発明の遮蔽部材，遮蔽コネクタ及び基板収納ユニットについて、好ましい実施形態を示して説明したが、本発明に係る遮蔽部材，遮蔽コネクタ及び基板収納ユニットは、上述した実施形態にのみ限定されるものではなく、本発明の範囲で種々の変更実施が可能であることは言うまでもない。
たとえば、遮蔽部材を外部接続コネクタに装着するかわりに、遮蔽部材とほぼ同様の形状の遮蔽部を外部接続コネクタに一体的に形成した遮蔽コネクタを使用してもよく、このようにすると、遮蔽部材を外部接続コネクタに装着する作業が削減されるので、作業効率を高めることができる。
【００５４】
また、本発明は、基板収納ユニットの実施形態を用いて説明してあるが、基板収納ユニットの発明に限定されるものではなく、遮蔽部材及び遮蔽コネクタの発明としても有効である。
さらに、遮蔽部材によるラビリンス機構に限定されるものではなく、たとえば、外部接続コネクタの本体部分と蓋体による遮蔽領域をも、ラビリンス機構として使用してもよく、このようにすると、遮蔽性をより向上させることができる。
【００５５】
また、上記各ラビリンス機構６１，６４，６５，６６，６７は、直角に連通された三つの遮蔽領域を有する構成としてあるが、この構成に限定されるものではなく、たとえば、鈍角又は鋭角に連通された二つの遮蔽領域、あるいは、波状に連通された遮蔽領域を有する構成としてもよい。
【産業上の利用可能性】
【００５６】
本発明の基板収納ユニットは、一般的に、パチンコ遊技機やスロットマシン等の遊技機に取り付けられるが、取り付けられる対象物は遊技機に限定されるものではなく、外部から回路基板への不正行為を防止する必要のある対象物に広く適用することが可能である。
【図面の簡単な説明】
【００５７】
【図１ａ】本発明の実施形態にかかる基板収納ユニットの全体的な構成を説明するための要部の概略平面図を示している。
【図１ｂ】図１ａのＡ−Ａ概略断面図を示している。
【図２】本発明の実施形態にかかる基板収納ユニットの一遮蔽部材を説明するための要部の概略図であり、（ｂ）は図１ａのＢ−Ｂ拡大断面図を、（ｃ）は図１ａのＣ−Ｃ拡大断面図を示している。
【図３】本発明の実施形態にかかる基板収納ユニットの一遮蔽部材を説明するための概略図であり、（ａ）は平面図を、（ｂ）は一遮蔽部材に対応する開口部の平面図を示している。
【図４ａ】ラビリンス機構の第一応用例を説明する要部の概略拡大断面図を示している。
【図４ｂ】ラビリンス機構の第二応用例を説明する要部の概略拡大断面図を示している。
【図４ｃ】ラビリンス機構の第三応用例を説明する要部の概略拡大断面図を示している。
【図４ｄ】ラビリンス機構の第四応用例を説明する要部の概略拡大断面図を示している。
【図５】本発明の実施形態にかかる基板収納ユニットの一遮蔽部材を説明するための概略図であり、（ａ）は平面図を、（ｂ）は一遮蔽部材に対応する開口部の平面図を示している。
【図６】本発明の実施形態にかかる基板収納ユニットの一遮蔽部材を説明するための概略図であり、（ａ）は平面図を、（ｂ）は一遮蔽部材に対応する開口部の平面図を示している。
【符号の説明】
【００５８】
１  基板収納ユニット
３  回路基板
４  基板収納ボックス
２１，２１ｂ，２２，２３，２４，２５，２６，２７  外部接続コネクタ
３１  位置決め孔
３２  リブ
３３  結線パターン
３５  抵抗
４１  基体
４２，４２ａ，４２ｂ，４２ｃ，４２ｄ  蓋体
４３  ヒンジ
５１，５４，５５  遮蔽部材
５１ａ，５１ｂ，５１ｃ，５１ｄ  遮蔽部材
６１，６４，６５，６６，６７  ラビリンス機構
６１ａ，６１ｂ，６１ｃ，６１ｄ  ラビリンス機構
２１０  雄側コネクタ
２１１  係止部
２１２  係止板
３４１  ノッチ用孔
４１１  ガイドピン
４１２  封印固定部
４２１  挟支ピン
４２２  封印固定部
４２３  連結部
４４１，４４４，４４５，４４６，４４７  開口部
５０１  筒状部
５１０，５１０´，５１０ｂ  装着面
５１０ａ  段付き部
５１１、５４１，５５１  フランジ部
５１１ａ，５１１ｂ，５１１ｃ，５１１ｃ´，５１１ｄ  フランジ部
５１２  補強金具
５１３  ノッチ
５１４  凹部
６１１，６１１ａ，６１１ｂ，６１１ｃ  溝
６１２，６１２ａ，６１２ｂ，６１２ｃ，６１２ｄ  筒部
６１３，６１４，６１５  遮蔽領域
６１３ａ，６１４ａ，６１５ａ  遮蔽領域
６１３ｂ，６１４ｂ，６１５ｂ，６１６ｂ，６１７ｂ  遮蔽領域
６１３ｃ，６１４ｃ，６１５ｃ  遮蔽領域
６１３ｄ，６１４ｄ  遮蔽領域
６４１，６５１，６６１，６７１  溝
６４２，６５２，６６２，６７２  筒部
【図１ａ】
2006081714.tif 000003
【図１ｂ】
2006081714.tif 000004
【図２】
2006081714.tif 000005
【図３】
2006081714.tif 000006
【図４ａ】
2006081714.tif 000007
【図４ｂ】
2006081714.tif 000008
【図４ｃ】
2006081714.tif 000009
【図４ｄ】
2006081714.tif 000010
【図５】
2006081714.tif 000011
【図６】
2006081714.tif 000012